(57)【要約】【課題】放熱ファンに用いるファンブレード構造を提供する。【解決手段】ファンブレード構造1は、ファンハブ10、及び少なくとも１組のブレード20からなり、該組ブレード20はファンハブ1０外周に連結してファンハブ10から径方向へと伸展して形成し、各ブレード20においてファンハブ10から径方向に離れた周縁に、高低差を備える複数のステップ31、32を周方向に沿って形成し、内側のステップ31の高さは外側のステップ32の高さより高く、これにより乱流の導流効果を生じることにより風力フローフィールドの風圧と風量を向上させる。【選択図】図１
0003181215.tif 000002
【実用新案登録請求の範囲】
【請求項１】
ファンハブ、少なくとも１組のブレードからなるファンブレード構造であって、
該少なくとも１組のブレードは、該ファンハブから径方向に延伸して形成し、該各ブレードにおいて、該ファンハブから離れる径方向周縁には、周方向に沿って階段状構造を形成することを特徴とするファンブレード構造。
【請求項２】
前記組ブレードは、２枚のブレードにより構成することを特徴とする請求項１に記載のファンブレード構造。
【請求項３】
前記組ブレードは、３枚のブレードにより構成することを特徴とする請求項１に記載のファンブレード構造。
【請求項４】
前記ファンハブは、頂点板、及び該頂点板周縁から湾曲して軸方向に延伸する囲み板を備え、
該組ブレードは、該囲み板周面から径方向にそれぞれ延伸することを特徴とする請求項１に記載のファンブレード構造。
【請求項５】
前記ファンブレード構造はさらに、シャフトを備え、
該シャフトは、該頂点板の内側中央位置に固定されて該囲み板に環状に囲まれて設置されることを特徴とする請求項４に記載のファンブレード構造。
【請求項６】
前記階段構造の先端部には、丸みを形成することを特徴とする請求項１に記載のファンブレード構造。
【請求項７】
ファンハブ、少なくとも１組のブレードからなるファンブレード構造であって、
該少なくとも１組のブレードは、該ファンハブに連結されて該ファンハブから径方向へと伸展して形成し、
該各ブレードにおいて、該ファンハブから径方向に離れた周縁に、周方向に沿って高低差を備える複数のステップを形成し、内側の該ステップ高さは、外側の該ステップ高さより高いことを特徴とするファンブレード構造。
【請求項８】
前記組ブレードは、２枚のブレードにより構成することを特徴とする請求項７に記載のファンブレード構造。
【請求項９】
前記組ブレードは、３枚のブレードにより構成することを特徴とする請求項７に記載のファンブレード構造。
【請求項１０】
前記ファンハブは、頂点板、及び該頂点板周縁から湾曲して軸方向に延伸する囲み板を備え、
該組ブレードは、該囲み板の周面から径方向にそれぞれ延伸することを特徴とする請求項７に記載のファンブレード構造。
【請求項１１】
前記ファンブレード構造はさらに、シャフトを備え、
該シャフトは、該頂点板の内側中央位置に固定されて該囲み板に環状に囲まれて設置されることを特徴とする請求項１０に記載のファンブレード構造。
【請求項１２】
前記各ブレードは、上弧面、及び該上弧面下側に対応して形成する下弧面を備え、
該上弧面の切線と該ファンハブの軸心線とは、交差形態を呈することを特徴とする請求項７に記載のファンブレード構造。
【請求項１３】
前記内側の該ステップは、該上弧面と外側の該ステップとの間に位置して該内側ステップの高さは、該上弧面の高さより低いことを特徴とする請求項１２に記載のファンブレード構造。
【請求項１４】
前記外側の該ステップの先端部には、丸みを形成することを特徴とする請求項７に記載のファンブレード構造。
【考案の詳細な説明】
【技術分野】
【０００１】
本考案はファンブレード構造に関し、特に放熱ファンに用いるファンブレード構造に関する。
【背景技術】
【０００２】
従来のファンブレード構造は、中心部、及び該中心部周縁から延伸する多数のブレードからなる。
該ファンブレード構造はさらに、モーターパーツ及びファンフレームと組み合わされて放熱ファンを形成し、各種さまざまな電子装置に放熱効果を提供する。
【０００３】
しかし、従来のファンブレード構造では、そのブレードは回転の過程において、渦巻き型の気体フローフィールドしか形成することができない。
該各渦巻き型の気体フローフィールドは、ブレード形状の制限を受け、その風圧と風量を効果的に高めることができないため、放熱性能は充分ではない。
また、該ブレードは、高速回転の過程において、しばしばデシベルの高い騒音を発するため、改善の必要がある。
本考案は、従来のファンブレード構造の上記した欠点に鑑みてなされたものである。
【先行技術文献】
【特許文献】
【０００４】
【特許文献１】特開平５−６００９４号公報
【考案の概要】
【考案が解決しようとする課題】
【０００５】
本考案が解決しようとする課題は、ブレードの末端に階段構造を設置し、これにより乱流の導流効果を生じ、こうして風力フローフィールドの風圧と風量を向上させることができるファンブレード構造を提供することである。
【課題を解決するための手段】
【０００６】
上記課題を解決するため、本考案は下記のファンブレード構造を提供する。
ファンブレード構造は、ファンハブ、及び少なくとも１組のブレードからなり、
該組ブレードは、該ファンハブから径方向に延伸し、該各ブレードにおいて、該ファンハブから離れる径方向周縁には、周方向に沿って階段構造を形成し、
ファンブレード構造は、ファンハブ、及び少なくとも１組のブレードからなり、
該組ブレードはファンハブに結合して該ファンハブから径方向に離れる方向へと伸展して形成し、
該各ブレードにおいて、該ファンハブから離れた周縁に、高低差を備える複数のステップを形成し、内側のステップの高度は外側のステップの高さより高く、
外側ステップの先端部に形成する丸みによって、消音の効果を達成することができる。
【考案の効果】
【０００７】
本考案のファンブレード構造は、ブレードの末端に周方向に沿って階段構造を設置し、これにより乱流の導流効果を生じ、こうして風力フローフィールドの風圧と風量を向上させることができ、外側ステップの先端部に形成する丸みにより、消音の効果を達成することができる。
【図面の簡単な説明】
【０００８】
【図１】本考案ファンブレード構造第一実施例の立体外観図である。
【図２】図１の別の視角からの立体外観図である。
【図３】図１の平面図である。
【図４】図３の4-4位置における断面図である。
【図５】本考案ファンブレード構造第二実施例とファンフレームの組合せ模式図である。
【図６】本考案ファンブレード構造第三実施例とファンフレームの組合せ模式図である。
【図７】本考案ファンブレード構造第四実施例とファンフレームの組合せ模式図である。
【図８】本考案ファンブレード構造第五実施例とファンフレームの組合せ模式図である。
【考案を実施するための形態】
【０００９】
以下に図面を参照しながら本考案を実施するための最良の形態について詳細に説明する。
【実施例】
【００１０】
図１〜４に示すように、本実施例のファンブレード構造1は、ファンハブ10及び複数のブレード20からなる。
【００１１】
該ファンハブ10は、円形頂点板11、及び該頂点板11周縁から、下方（軸方向）へと湾曲して延伸する円環状囲み板12により構成する。
【００１２】
該頂点板11の内側中央位置には、シャフト13を連結し、該シャフト13は、該囲み板12に環状に囲まれる構造となる。
【００１３】
該囲み板12の外周面には、該囲み板12から離れて径方向へと延長する９枚のブレード20を設置する。
【００１４】
該各ブレード20は、おおよそ三次元弧状形を呈し、上弧面21、及び該上弧面21下側に対応して形成する下弧面22を備える。
【００１５】
該上弧面21の切線と該ファンハブ10の軸心線とは、交差形態(即ち、軸流式ブレード)を呈し、該各ブレード20が該ファンハブ10から離れる径方向周縁に、階段状構造30を形成する。
【００１６】
該階段状構造30は、内側ステップ31と外側ステップ32からなり、かつ該各ステップ31、32の間と該各ステップ31、32と該上弧面21の間には、高低落差を形成する。
【００１７】
該内側ステップ31の高さは、該上弧面21の高さより低く、該内側ステップ31の高さは、該外側ステップ32の高さより高い。
【００１８】
また、該外側ステップ32の上方先端部には、丸み321を形成し、該丸み321は、消音作用を発揮する。
【００１９】
この他、該各ブレード20は、該ファンハブ10周面から直接延伸して形成する以外に、連結方式により、該ファンハブ10の外周面に結合して該ファンハブ10から外方向へと伸展する形態とすることもできる。
【００２０】
使用時には、ファンブレード構造1の高速運転過程において、該各ブレード20は、その背面から気体を吸入し、該上弧面21を経て、気体を下方へと押し出し、気体は、渦巻き型流動方式により吹き出される。
【００２１】
該ブレード20の末端には、階段構造30を設置することによって、該階段構造30により、前記の渦巻き型フローフィールドを改変し、乱流の導流効果を生じ、こうして風力フローフィールドの風圧と風量を向上させることができる。
【００２２】
図５に示すように、本考案第二実施例のファンブレード構造において、このファンブレード構造1aと第一実施例に示すファンブレード構造1との主要な差異は、該ファンブレード構造1aはファンフレーム5と組合せる点である。
【００２３】
この実施例のブレードは、階段構造30を備える３枚のブレード20と階段構造30を備えない６枚のブレード20aからなる。
【００２４】
該３枚のブレード20は組合せて１組とし、かつ該３枚のブレード20は、等間隔を置いて該各ブレード20aの間に設置する。
【００２５】
図６に示すように、本考案第三実施例のファンブレード構造において、この実施例のブレードは、階段構造30を備える６枚のブレード20と階段構造30を備えない３枚のブレード20bからなる。
【００２６】
該６枚のブレード20は組合せて３組とし、該各ブレード20bは、等間隔を開けて該各ブレード20の間に設置する。
【００２７】
図７に示すように、本考案第四実施例のファンブレード構造において、この実施例のブレードは、階段構造30を備える３枚のブレード20と階段構造30を備えない３枚のブレード20cからなる。
【００２８】
該３枚のブレード20は組合せて１組とし、かつ該各ブレード20は、相互に隣接する任意の２枚のブレード20cの間に設置する。
【００２９】
図８に示すように、本考案第五実施例のファンブレード構造において、この実施例のブレードは、階段構造30を備える２枚のブレード20と階段構造30を備えない６枚のブレード20dからなる。
【００３０】
該２枚のブレード20は組合せて１組とし、かつ該各ブレード20は、相互に隣接する任意の２枚のブレード20dの間に設置する。
【００３１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３３】
1、1a、1b、1c、1d  ファンブレード構造
10  ファンハブ
11  頂点板
12  囲み板
13  シャフト
20、20a、20b、20c、20d  ブレード
21  上弧面
22  下弧面
30  階段構造
31  内側ステップ
32  外側ステップ
321  丸み
5  ファンフレーム
【図１】
0003181215.tif 000003
【図２】
0003181215.tif 000004
【図３】
0003181215.tif 000005
【図４】
0003181215.tif 000006
【図５】
0003181215.tif 000007
【図６】
0003181215.tif 000008
【図７】
0003181215.tif 000009
【図８】
0003181215.tif 000010